(57)【特許請求の範囲】
【請求項１】
内部が上下に仕切られ、内部上方に物が収納される収納室と、内部下方に車が入るカーポート部とが設けられたカーポートユニットを備えたユニット式建物であって、
前記カーポートユニットの側壁には、当該側壁に設けられた開口を外側から塞ぐように当該カーポートユニットに片持ち支持されるスペースユニットが設けられ、
前記スペースユニットには、前記収納室の床と連続する床部が設けられ、
前記スペースユニットは、前記床部の上方に形成された上部収納室と、前記床部の下方に形成された下部収納室とを有していることを特徴とするユニット式建物。
【請求項２】
請求項１に記載のユニット式建物において、
前記カーポートユニットは、その内部全体が前記収納室およびカーポート部で形成されていることを特徴とするユニット式建物。
【請求項３】
請求項１に記載のユニット式建物において、
前記カーポートユニットは、居室部を有していることを特徴とするユニット式建物。
【請求項４】
請求項１〜請求項３のいずれかに記載のユニット式建物において、
前記カーポートユニットは、前記側壁に直交する面同士が接するように複数並列に配置され、
前記側壁にそれぞれ設けられている前記スペースユニット同士は、内部が連通していることを特徴とするユニット式建物。
【請求項５】
請求項１〜請求項４のいずれかに記載のユニット式建物において、
前記スペースユニットは、前記カーポート部に対応した長さ寸法とされていることを特徴とするユニット式建物。
【発明の詳細な説明】
【０００１】
【発明の属する技術分野】
本発明は、内部が上下に仕切られ、内部上方に物が収納される収納室と、内部下方に車が入るカーポート部とが設けられたカーポートユニットを備えたユニット式建物に関するものである。
【０００２】
【背景技術】
従来より、工場で製造された建物ユニットを、建築現場で複数組み合わせて形成されるユニット式建物が利用されている。
建物ユニットは、通常、四隅に立設される柱と、これらの柱の上端間、下端間を相互に連結する天井梁、床梁とから構成され、長さの異なる長辺および短辺を備えた長方形状の平面形を有する直方体状の骨組みを有している。この骨組みには、床面材、壁面材、その他必要な設備部材が予め工場で取り付けられる。このようなユニット式建物によれば、予め建物ユニットに床面材等が取り付けられているので、建築現場において、揚重機等により建物ユニットを所定位置に配置することにより、ユニット式建物が短期間で形成されるので、建築現場における工期を大幅に短縮することができるという利点がある。
【０００３】
ここで、ユニット式建物においては、特開平１１−９３２６９号公報等に示されるように、建物内に通常の建物ユニットと同様の高さ寸法を有するカーポートユニットが組み込まれたものがある。
このカーポートユニットは、内部に、当該カーポートユニットの高さ寸法と略同じ高さ寸法を有するカーポート部と、側壁に沿って形成されている収納空間となる収納庫とを備えている。
この際、カーポートユニットは、内部に車を入れるようにするため、少なくとも車の進行方向の床梁が省略されて基礎上に設置されるとともに、床梁省略による強度の低下を防ぐために当該床梁の省略部分に応じた天井梁を補強している。
【０００４】
【発明が解決しようとする課題】
このようなユニット式建物では、カーポート部がカーポートユニットの高さ寸法と略同じ高さ寸法を有しているので、カーポートユニットの上部を収納として利用することができない。そこで、カーポートユニットの上部（カーポート部上方）に収納室を設けようとする、つまり、一つのカーポートユニットの内部に収納室と収納庫とを設けようとすると、当該カーポートユニットの骨組みが複雑になり、これにより、当該カーポートユニットの製造が煩雑になり、ひいては、ユニット式建物の建築作業が繁雑になるという問題がある。
また、カーポートユニットの内部に、側壁に沿った収納庫を設けると、カーポート部の幅が狭くなるとともに、上部に収納室が設けられたカーポートユニットの内部に側壁に沿った収納庫を設けると、当該収納室が狭くなるという問題がある。
【０００５】
本発明の目的は、カーポート部を狭めることがなくカーポートユニットの側壁部分に収納空間を設けることができるうえ、カーポート部上方の収納室を拡張でき、建築作業が容易なユニット式建物を提供することにある。
【０００６】
【課題を解決するための手段】
本願の第１発明は、図面を参照して説明すると、内部が上下に仕切られ、内部上方に物が収納される収納室４と、内部下方に車が入るカーポート部５とが設けられたカーポートユニット３０を備えたユニット式建物１であって、カーポートユニット３０の側壁３０Ａには、当該側壁３０Ａに設けられた開口を外側から塞ぐように当該カーポートユニット３０に片持ち支持されるスペースユニット４０が設けられ、スペースユニット４０には、収納室４の床４Ａと連続する床部４８Ａが設けられ、スペースユニット４０は、床部４Ａの上方に形成された上部収納室４８と、床部４Ａの下方に形成された下部収納室４９とを有していることを特徴とする。
この際、前述のカーポートユニット３０は、その内部全体が収納室４およびカーポート部５で形成されていてもよいし、居室部５０Ａを有していてもよい。
【０００７】
このような本発明によれば、カーポートユニットの側壁に、外側から当該カーポートユニットとは別体のスペースユニットを設け、このスペースユニットの内部を収納空間とすることで、カーポート部を狭めることがなくカーポートユニットの側壁部分に収納空間を設けることが可能となる。
その上、スペースユニットに収納室の床と連続する床部を設けたので、カーポートユニットの収納室を拡張することが可能となり、これにより、カーポート部上方の収納室を拡張することが可能となる。
さらに、カーポートユニットの側壁に、外側から当該カーポートユニットとは別体のスペースユニットを設けるので、従来に比べて、カーポートユニットの骨組みが複雑にならず、これにより、当該カーポートユニットの製造が容易となり、ひいては、ユニット式建物の建築作業が容易となる。
また、スペースユニットは、カーポートユニットに片持ち支持されているので、当該スペースユニットを支持する基礎等が不要であり、この点からもユニット式建物の建築作業が容易となる。
【０００９】
また、前述のカーポートユニット３０は、側壁３０Ａに直交する面同士が接するように複数並列に配置され、側壁３０Ａにそれぞれ設けられているスペースユニット４０同士は、内部が連通していることが好ましい。
このようにすれば、スペースユニット内部の長手方向に渡って、一つのスペースユニット内には入りきらない長尺状の物を収納することが可能となるとともに、スペースユニット間を行き来することが可能となるので、当該スペースユニット内部の使い勝手を向上させることが可能となる。
【００１０】
以上において、前述のスペースユニット４０は、カーポート部５に対応した長さ寸法とされていることが望ましい。
スペースユニットの長さ寸法が、カーポート部の長さ寸法に対応していれば、カーポートユニットにスペースユニットを取り付ける際の位置合わせ等がほとんど不要となり、当該スペースユニットの設置作業が簡単になるとともに、スペースユニットとカーポートユニットとの間に不自然な段差が見られず、ユニット式建物の外観を向上させることが可能となる。
【００１１】
【発明の実施の形態】
以下に本発明の実施の形態を図面に基づいて説明する。
図１および図２には、本発明の一実施形態に係るユニット式建物１が示されている。
ユニット式建物１は、基礎２上に設置された一階建物ユニット１０およびカーポートユニット３０と、これら一階建物ユニット１０およびカーポートユニット３０の上部に配置された二階建物ユニット２０と、二階建物ユニット２０上に設けられた屋根３と、カーポートユニット３０の側壁３０Ａの外側に設けられているスペースユニット４０とを備えて構成されている。
【００１２】
一階建物ユニット１０は、図２に示されるように、長辺および短辺が所定の寸法に設定された長方形状の平面形を有し、長辺側が接するように短辺方向に３列に配列され、その内部が居室となっている。なお、二階建物ユニット２０も、一階建物ユニット１０と同一平面形状を有し、長辺方向に２列および短辺方向に３列に配列され、その内部が居室となっている（図示略）。
【００１３】
カーポートユニット３０は、内部上方に物が収納される収納室４と、内部下方に車が入るカーポート部５とを有し、長辺側が接するように、言い換えると、側壁３０Ａに直交する面同士が接するようにして３個並列に設置され、他の一階建物ユニット１０とともに１階部分を構成している。これら３個のカーポートユニット３０により、２台分のカーポート６が形成されている。
【００１４】
スペースユニット４０は、各カーポートユニット３０の側壁３０Ａに設けられた図示しない開口を外側から塞ぐように、当該カーポートユニット３０に片持ち支持されて設けられている。このスペースユニット４０は、短辺側が接するようにして３個並列に設置されている。
【００１５】
一階建物ユニット１０および二階建物ユニット２０は、図３に示されるように、四隅の柱１２の上下端を天井梁１３および床梁１４で連結した直方体状の骨組み１１を有している。
建物ユニット１０、２０の天井梁１３としては、長さの異なる長辺天井梁１３Ａおよび短辺天井梁１３Ｂの二種類が設けられている。建物ユニット１０、２０の床梁１４としては、天井梁１３と同様に、長さの異なる長辺床梁１４Ａおよび短辺床梁１４Ｂの二種類が設けられている。
対向する一対の長辺天井梁１３Ａの間には、天井を形成する図示しない天井面材を支持するための天井小梁１５が架け渡されている。対向する一対の長辺床梁１４Ａの間には、室内床を形成する図示しない床面材を支持するための複数の床根太１６が架け渡されている。
【００１６】
カーポートユニット３０は、図４に示されるように、四隅に立設された四本の柱３２と、これらの柱３２の上端間を相互に連結する長辺天井梁３３および短辺天井梁３４と、短辺天井梁３４で連結されている柱３２の下端間を相互に連結する短辺床梁３５と、柱３２の中間部分を相互に連結する中間梁３６とを備えて構成される骨組み３１を有している。
中間梁３６としては、長さの異なる長辺中間梁３６Ａおよび短辺中間梁３６Ｂの２種類が設けられ、それぞれ柱３２に溶接されている。各長辺中間梁３６Ａの端部と柱３２とは、それぞれ斜材３７で相互に連結されている。
長辺中間梁３６Ａおよび短辺中間梁３６Ｂ上には、収納室４の床４Ａを形成する棚板３８が架け渡されて載置されている。この棚板３８によってカーポートユニット３０内部が上下に仕切られ、当該内部全体に前述の収納室４とカーポート部５とが形成されている。つまり、棚板３８は、収納室４の床４Ａを形成するとともに、カーポートユニット３０内部を上下に仕切る仕切部材としても利用されている。
【００１７】
スペースユニット４０は、図５に示されるように、四隅に立設された四本の柱４２と、これらの柱４２の上端間および下端間を相互に連結する天井梁４３および床梁４４と、柱４２の中間部分を相互に連結する中間梁４５とを備えて構成される骨組み４１を有している。骨組み４１の周囲には、ユニット式建物１の外壁を形成する外壁材４６が設けられている。
スペースユニット４０の天井梁４３としては、長さの異なる長辺天井梁４３Ａおよび短辺天井梁４３Ｂの二種類が設けられている。スペースユニット４０の床梁４４としては、天井梁４３と同様に、長さの異なる長辺床梁４４Ａおよび短辺床梁４４Ｂの二種類が設けられている。
中間梁４５としては、長さの異なる長辺中間梁４５Ａおよび短辺中間梁４５Ｂの２種類が設けられ、それぞれ柱４２に溶接されている。
長辺中間梁４５Ａおよび短辺中間梁４５Ｂ上には、棚板４７が架け渡されて載置されている。
【００１８】
この棚板４７により、スペースユニット４０内部が上下に仕切られ、棚板４７の上方および下方にそれぞれ収納空間である上部収納室４８および下部収納室４９が形成されるようになっている。また、この棚板４７は、上部収納室４８の床部４８Ａも形成している。つまり、棚板４７は、上部収納室４８の床部４８Ａを形成するとともに、上部収納室４８および下部収納室４９を仕切る仕切板となっている。
ここで、スペースユニット４０は、カーポート部５に対応した長さ寸法とされ、具体的には、その長辺が前述の建物ユニット１０、２０およびカーポートユニット３０の短辺と略同じ長さ寸法となっているとともに、短辺が、前述の建物ユニット１０、２０およびカーポートユニット３０の短辺よりも短い寸法となっている（図２参照）。
また、各スペースユニット４０のカーポートユニット３０に面する側には、面材は設けられておらず、開口が形成されている。
【００１９】
また、上部収納室４８の床部４８Ａの高さレベルは、図６に示されるように、収納室４の床４Ａの高さレベルと略同じとなっている。そして、各スペースユニット４０のカーポートユニット３０に面する側は、開口が形成されていることから、床部４８Ａは、床４Ａと連続している。言い換えると、各スペースユニット４０は、収納室４の床４Ａと連続する床部４８Ａを備えている。
【００２０】
さらに、カーポートユニット３０に設けられている３つのスペースユニット４０のうち、真ん中に配置されているスペースユニット４０の下部収納室４９と、カーポート部５との境界部分には、下部収納室４９とカーポート部５とを行き来するための扉７が設けられている。
また、並列に配置されている３個のスペースユニット４０同士は、その内部、つまり、上部収納室４８および下部収納室４９が連通している（図２、６）。
【００２１】
次に、このようなユニット式建物１の建築手順を説明する。
まず、一階および二階建物ユニット１０、２０、カーポートユニット３０、スペースユニット４０等を工場で製造した後、建築現場で、基礎２上に一階建物ユニット１０およびカーポートユニット３０を設置し、これらの上部に二階建物ユニット２０を配置するとともに、カーポートユニット３０の側壁３０Ａにスペースユニット４０を外側から片持ち支持で取り付ける。
このようにしてユニット式建物１を建築する。
【００２２】
このような本実施形態によれば、次のような効果が得られる。
すなわち、カーポートユニット３０の側壁３０Ａに、外側から当該カーポートユニット３０とは別体のスペースユニット４０を設け、このスペースユニット４０の内部に収納空間となる上部収納室４８および下部収納室４９を設けたので、カーポート部５を狭めることがなくカーポートユニット３０の側壁部分に収納空間を設けることができる。
【００２３】
また、スペースユニット４０に収納室４の床４Ａと連続する床部４８Ａを設けたので、カーポートユニット３０の収納室４を拡張することができ、これにより、カーポート部５上方の収納室４を拡張することができる。
【００２４】
さらに、カーポートユニット３０の側壁３０Ａに、外側から当該カーポートユニット３０とは別体のスペースユニット４０を設けたので、従来に比べて、カーポートユニット３０の骨組みが複雑にならず、これにより、当該カーポートユニット３０の製造を容易にでき、ひいては、ユニット式建物１の建築作業を容易に行うことができる。
【００２５】
また、スペースユニット４０は、カーポートユニット３０に片持ち支持で設けられているので、当該スペースユニット４０を支持する基礎等が不要であり、この点からもユニット式建物１の建築作業を容易に行うことができる。
【００２６】
さらに、床部４８Ａを、上部収納室４８および下部収納室４９を仕切る仕切板となる棚板４７で形成されているので、スペースユニット４０の構造を簡素化することができ、当該スペースユニット４０の製造を容易にできる。
【００２７】
また、カーポートユニット３０の側壁３０Ａにそれぞれ設けられているスペースユニット４０同士は、内部が連通しているので、スペースユニット４０内部の長手方向に渡って、一つのスペースユニット４０内には入りきらない長尺状の物を収納することができるとともに、スペースユニット４０間を行き来することができ、当該スペースユニット４０内部の使い勝手を向上させることができる。
【００２８】
さらに、スペースユニット４０をカーポート部５に対応した長さ寸法としたので、カーポートユニット３０にスペースユニット４０を取り付ける際の位置合わせ等がほとんど不要となり、当該スペースユニット４０の設置作業を簡単にできるとともに、スペースユニット４０とカーポートユニット３０との間に不自然な段差が見られず、ユニット式建物１の外観を向上させることができる。
【００２９】
なお、本発明は前記実施の形態に限定されるものではなく、本発明の目的を達成できる他の構成等を含み、以下に示すような変形等も本発明に含まれる。
例えば、カーポートユニットとしては、内部全体が収納室４およびカーポート部５で形成されているものに限らず、例えば、図７に示されるように、図中左側半分に居室部５０Ａを備え、右側半分に収納室５０Ｂおよびカーポート部５０Ｃが形成されているカーポートユニット５０が採用できる。
【００３０】
また、前記実施形態では、スペースユニット同士は、内部が連通されていたが、これに限らず、例えば、各スペースユニット毎に面材等で区切られていてもよい。
【００３１】
さらに、前記実施形態では、床部４８Ａは、棚板４７で形成されていたが、これに限らず、例えば、棚板４７上に、当該棚板４７とは別体の床面材を設け、この床面材を床部４８Ａとしてもよい。
【００３３】
【発明の効果】
以上に述べたように、本発明のユニット式建物によれば、次のような効果がある。
すなわち、請求項１〜請求項３に記載のユニット式建物によれば、カーポートユニットの側壁に、外側から当該カーポートユニットとは別体のスペースユニットを設け、このスペースユニットの内部を収納空間とすることで、カーポート部を狭めることがなくカーポートユニットの側壁部分に収納空間を設けることができる。その上、スペースユニットに収納室の床と連続する床部を設けたので、カーポートユニットの収納室を拡張することができ、これにより、カーポート部上方の収納室を拡張することができる。さらに、カーポートユニットの側壁に、外側から当該カーポートユニットとは別体のスペースユニットを設けるので、従来に比べて、カーポートユニットの骨組みが複雑にならず、これにより、当該カーポートユニットの製造を容易にでき、ひいては、ユニット式建物の建築作業を容易にできる。また、スペースユニットは、カーポートユニットに片持ち支持されているので、当該スペースユニットを支持する基礎等が不要であり、この点からもユニット式建物の建築作業を容易にできる。
【００３５】
さらに、請求項４に記載のユニット式建物によれば、スペースユニット内部の長手方向に渡って、一つのスペースユニット内には入りきらない長尺状の物を収納することができるとともに、スペースユニット間を行き来することができ、当該スペースユニット内部の使い勝手を向上させることができる。
【００３６】
また、請求項５に記載のユニット式建物によれば、スペースユニットの長さ寸法が、カーポート部の長さ寸法に対応していれば、カーポートユニットにスペースユニットを取り付ける際の位置合わせ等がほとんど不要となり、当該スペースユニットの設置作業を簡単にできるとともに、スペースユニットとカーポートユニットとの間に不自然な段差が見られず、ユニット式建物の外観を向上させることができる。
【図面の簡単な説明】
【図１】本発明の一実施形態におけるユニット式建物を示す斜視図である。
【図２】前記実施形態におけるユニット式建物を示す平面図である。
【図３】前記実施形態における一階および二階建物ユニットの骨組みを示す斜視図である。
【図４】前記実施形態におけるカーポートユニットの骨組みを示す斜視図である。
【図５】前記実施形態におけるスペースユニットの骨組みを示す斜視図である。
【図６】前記実施形態における要部を示す断面図である。
【図７】本発明の変形例であって、要部を示す概略図である。
【符号の説明】
１  ユニット式建物
４  収納室
４Ａ  床
５  カーポート部
３０  カーポートユニット
３０Ａ  側壁
４０  スペースユニット
４７  棚板
４８  上部収納室
４８Ａ  床部
４９  下部収納室
５０Ａ  居室部
【図１】
0003961180.tif 000002
【図２】
0003961180.tif 000003
【図３】
0003961180.tif 000004
【図４】
0003961180.tif 000005
【図５】
0003961180.tif 000006
【図６】
0003961180.tif 000007
【図７】
0003961180.tif 000008